(57)【要約】【課題】傾斜多孔板を簡易に分離清掃することが可能な石抜装置の選別部構造を提供する。【解決手段】石抜装置の選別部構造は、振動動作可能に支持されるとともに内設の送風羽根（７）により選別送風する風洞（６）と、この風洞（６）の左右の案内側壁（１１）によって形成される送風口部（６ａ）に傾斜姿勢で取付けられて送風を受けつつ傾斜上方の石抜ゲート（１２）に向けて振動送り選別動作をする傾斜多孔板（５）と、その傾斜上部に形成した開閉可能な回収ゲート（１４）から残米を回収するための残米回収通路（９）を備えて構成され、上記傾斜多孔板（５）は、風洞（６）の送風口部（６ａ）を形成する左右の案内側壁（１１）間の全幅（Ｗ）の寸法に及んで形成し、その片側の案内側壁（１１）の外側方に上記残米回収通路（９）を形成したものである。【選択図】図２
2008259958.tif 000002
【特許請求の範囲】
【請求項１】
振動動作可能に支持されるとともに内設の送風羽根（７）により選別送風する風洞（６）と、この風洞（６）の左右の案内側壁（１１）によって形成される送風口部（６ａ）に傾斜姿勢で取付けられて送風を受けつつ傾斜上方の石抜ゲート（１２）に向けて振動送り選別動作をする傾斜多孔板（５）と、その傾斜上部に形成した開閉可能な回収ゲート（１４）から残米を回収するための残米回収通路（９）を備えた石抜装置の選別部構造において、
上記傾斜多孔板（５）は、風洞（６）の送風口部（６ａ）を形成する左右の案内側壁（１１）間の全幅（Ｗ）の寸法に及んで形成し、その片側の案内側壁（１１）の外側方に上記残米回収通路（９）を形成したことを特徴とする石抜装置の選別部構造。
【請求項２】
前記風洞（６）の送風口部（６ａ）には、傾斜多孔板（５）の傾斜に沿ってスライドガイド（１３，１３ａ）を設け、このスライドガイド（１３，１３ａ）によって同傾斜多孔板（５）を着脱可能に保持したことを特徴とする請求項１記載の石抜装置の選別部構造。
【請求項３】
前記残米回収通路（９）は、傾斜多孔板（５）の上部に形成した回収ゲート（１４）から１以上の段差部（９ａ，９ｂ）を形成した傾斜溝状のシュートによって形成してなることを特徴とする請求項１記載の石抜装置の選別部構造。
【発明の詳細な説明】
【技術分野】
【０００１】
本発明は、精米前処理用の石抜装置において石等の穀粒中の異物を選別除去する石抜装置の選別部構造に関するものである。
【背景技術】
【０００２】
石抜装置の選別部は、特許文献１に示すように、振動選別用の傾斜多孔板と、この傾斜多孔板を加振しつつその下方から送風する加振風洞等から構成され、傾斜多孔板が風洞から送風を受けつつ加振されて比重差で異物を振動移送することにより傾斜上部の石抜ゲートから異物を分離し、また、傾斜多孔板の側部に形成した残米回収通路と連通する回収ゲートを開けることにより傾斜多孔板上の残米を回収することができる。
【０００３】
また、上記傾斜多孔板は、残米回収通路とゲート部を含む選別部ユニットとして風洞部から分離可能に構成することにより、可動構成の風洞部を残して石抜装置本体から取出して傾斜多孔板の風選塵埃による目詰まりを清掃することができる。
【特許文献１】特開平１０−１４６５６７号公報
【発明の開示】
【発明が解決しようとする課題】
【０００４】
しかしながら、上記構成の石抜装置は、傾斜多孔板の清掃の都度、風洞部から選別部ユニットを分離する必要があり、そのために多数の締結部および制御配線のコネクタを外すという煩わしい作業が避けられなかった。
【０００５】
本発明の目的は、傾斜多孔板を簡易に分離清掃することが可能な石抜装置の選別部構造を提供することにある。
【課題を解決するための手段】
【０００６】
請求項１に係る発明は、振動動作可能に支持されるとともに内設の送風羽根により選別送風する風洞と、この風洞の左右の案内側壁によって形成される送風口部に傾斜姿勢で取付けられて送風を受けつつ傾斜上方の石抜ゲートに向けて振動送り選別動作をする傾斜多孔板と、その傾斜上部に形成した開閉可能な回収ゲートから残米を回収するための残米回収通路を備えた石抜装置の選別部構造において、上記傾斜多孔板は、風洞の送風口部を形成する左右の案内側壁間の全幅の寸法に及んで形成し、その片側の案内側壁の外側方に上記残米回収通路を形成したことを特徴とする。
【０００７】
上記石抜装置の選別部は、風洞の送風口部にその左右の案内側壁間の全幅寸法に及んで傾斜多孔板を形成したことから、この傾斜多孔板が単体で風洞の送風口部に支持され、また、傾斜多孔板が風洞内の送風羽根からの全風量を受けつつ加振され、その振動選別動作によって穀粒中の異物が選別されて傾斜上方の石抜ゲートから排出され、また、案内側壁の外側方に傾斜多孔板から分離して残米回収通路を形成したことから、傾斜多孔板上の残留穀粒は傾斜上部の回収ゲートから単独構成の残米回収通路により回収される。
【０００８】
請求項２に係る発明は、請求項１の構成において、前記風洞の送風口部には、傾斜多孔板の傾斜に沿ってスライドガイドを設け、このスライドガイドによって同傾斜多孔板を着脱可能に保持したことを特徴とする。上記スライドガイドにより傾斜多孔板が単体で着脱可能に支持される。
【０００９】
請求項３に係る発明は、請求項１の構成において、前記残米回収通路は、傾斜多孔板の上部に形成した回収ゲートから１以上の段差部を形成した傾斜溝状のシュートによって形成してなることを特徴とする。
【発明の効果】
【００１０】
請求項１の石抜装置の選別部は、風洞に対して傾斜多孔板を単体で支持できるのでその取付け構成の自由度によって幅広い支持着脱方式を選択できるとともに、傾斜多孔板に対して送風羽根により効率よく送風することができるので、風洞および送風羽根の構成の小型化および所要動力の低減が可能となる。
【００１１】
請求項２の石抜装置の選別部は、請求項１の効果に加え、風洞の送風口部にスライドガイドを設けて傾斜多孔板をその傾斜に沿って支持することから、傾斜多孔板を単独でスライド操作により着脱することができるので、締結部やコネクタ等の煩わしい分解・組付け操作を要することなく、送風口部から抜き出して簡易に清掃メンテナンスすることができる。
【００１２】
請求項３の石抜装置の選別部は、請求項１の効果に加え、段付きのシュートによって残米回収通路を形成したことから、残米回収通路のシュート勾配の選択によって迅速な残米戻しが可能となり、また、シュートの出口までの間の段差部により、排出口部の滞留があっても、回収ゲートにおける排出速度が確保されるので、速やかに残米を排出することができる。
【発明を実施するための最良の形態】
【００１３】
上記技術思想に基づいて具体的に構成された実施の形態について以下に図面を参照しつつ説明する。
図１は、石抜機の内部透視側面図（ａ）、および、その正面図（ｂ）である。
石抜機１は、機体上部で穀粒を受ける投入ホッパ２と、穀粒中の異物を選別する選別部３と、その駆動系４とから構成される。
【００１４】
選別部３は、投入ホッパ２の下端位置に傾斜姿勢で臨む傾斜多孔板５を取付けた風洞６と、この風洞６に送風する回転羽根７等から構成され、傾斜多孔板５の傾斜上端から穀粒混入異物を排出する石抜シュート８を機体後部に備え、また、傾斜多孔板５から残留穀粒を回収するシュート９による残米回収通路を傾斜多孔板５の側方に備え、この残米回収通路９とともに傾斜多孔板５の出口を機体正面に開口する。
【００１５】
風洞６について詳細に説明すると、図２の平面図（ａ）およびその側面図（ｂ）に示すように、左右の案内側壁１１，１１を送風口部６ａまで延ばし、その左右の案内側壁１１，１１の全幅Ｗに及んで傾斜多孔板５を取付け、傾斜上部に石抜ゲート１２ｇを形成したゲートユニット１２を設ける。
【００１６】
傾斜多孔板５は、回転羽根７による選別風を受ける多孔板であり、風洞６の振動を受けて石等の異物を傾斜上方に送るための凹凸を備え、傾斜上端が石抜ゲート１２ｇに向かって狭まる選別通路を形成する。また、左右の案内側壁１１，１１の内面にそれぞれガイドレール１３と押さえレール１３ａによって上下方向動作を規制するスライドガイドを設けることにより、傾斜多孔板５を傾斜面の長手方向にスライド動作可能に支持する。
【００１７】
風洞６の左右の案内側壁１１，１１の一方（図例は右）の外側部には、残米回収通路としてのシュート９を配置し、このシュート９は、傾斜多孔板５の傾斜上端の側部に形成した回収ゲート１４ｇから排出に適する勾配に形成し、かつ、排出端の滞留の影響を受けることなく排出速度を確保するための段差部９ａ、９ｂを中間位置に形成する。
【００１８】
傾斜多孔板５は、図３の拡大平面図（ａ）およびその側面図（ｂ）に示すように、両側部に左右のサイドプレート２１，２２を起立し、傾斜上部側（図の右手）でそれぞれと接続して石抜ゲート１２ｇに向かって狭まる左右のトッププレート２１ａ、２２ａを起設し、これらトッププレート２１ａ、２２ａには、傾斜上端のゲートユニット１２から突設したピン１５，１６と嵌合する位置決め孔２１ｈ、２２ｈを穿設する。また、傾斜多孔板５の下端部にはワンタッチ操作で案内側壁１１に固定するためのバックル型固定具２３，２３を設ける。
【００１９】
傾斜多孔板５の装着方法は、排出開口の要部正面図を図４に示すように、風洞６の左右（図例は左側）の案内側壁１１に設けたガイドレール１３、１３ａによって傾斜多孔板５のサイドプレート２１を上下に規制してスライド支持し、バックル型固定具２３によって開口端部を風洞６の案内側壁１１に位置決め固定する。
【００２０】
上記のとおりの構成を有する石抜装置の選別部は、以下の作用効果を有する。
上記石抜装置の選別部３は、風洞６の送風口部６ａにその左右の案内側壁間の全幅寸法Ｗに及んで傾斜多孔板５を形成したことから、この傾斜多孔板５は、送風口部６ａに単体で支持され、また、傾斜多孔板５が風洞内の送風羽根７からの全風量を受けつつ加振され、その振動選別動作によって穀粒中の異物が選別されて傾斜上方の石抜ゲート１２ｇにより排出され、また、案内側壁１１の外側方に残米回収通路９を分離形成したことから、そのシャッタ１４ｓを開くことにより傾斜多孔板上の残留穀粒は傾斜上部の回収ゲート１４ｇから残米回収通路９により案内されて回収される。
【００２１】
上記傾斜多孔板５は、風洞６に対して単体で支持できるのでその取付け構成の自由度によって幅広い支持着脱方式を選択できるとともに、傾斜多孔板６に対して送風羽根により効率よく送風することができるので、風洞６および送風羽根７の構成の小型化および所要動力の低減が可能となる。
【００２２】
上記傾斜多孔板５は、風洞６の送風口部６ａにスライドガイド１３，１３ａを設けて多孔板５の傾斜に沿って支持し、傾斜上部の位置決め孔２１ｈ、２２ｈをゲートユニット１２のピン１５，１６と嵌合支持するとともに傾斜下部のバックル型固定具２３、２３によって風洞６の案内側壁１１，１１に位置決め固定できることから、傾斜多孔板５を単独でスライド操作により着脱することができる。したがって、締結部やコネクタ等の煩わしい分解・組付け操作を要することなく、送風口部６ａから傾斜多孔板５を機体正面側に抜き出して簡易に清掃メンテナンスすることができる。
【００２３】
上記残米回収通路９は、段付きのシュートによって形成したことから、シュート勾配の選択によって迅速な残米排出が可能となり、また、シュートの出口までの間に１以上の段差部９ａ、９ｂを形成することにより、排出口部の滞留があっても、回収ゲート１４ｇから速やかに残米を排出することができる。
【図面の簡単な説明】
【００２４】
【図１】石抜機の内部透視側面図（ａ）、および、その正面図（ｂ）である。
【図２】風洞の平面図（ａ）およびその側面図（ｂ）である。
【図３】傾斜多孔板の拡大平面図（ａ）およびその側面図（ｂ）である。
【図４】排出開口の要部正面図である。
【符号の説明】
【００２５】
１      石抜機
３      選別部
５      傾斜多孔板
６      風洞
６ａ    送風口部
９      シュート
９      残米回収通路
９ａ、９ｂ    段差部
１１    案内側壁
１２    ゲートユニット
１２ｇ  石抜ゲート
１３，１３ａ    ガイドレール（スライドガイド）
１４ｇ  回収ゲート
１５，１６    ピン
２１，２２    サイドプレート
２１ａ、２２ａ    トッププレート
２１ｈ、２２ｈ    位置決め孔
２３    バックル型固定具
Ｗ      全幅寸法
【図１】
2008259958.tif 000003
【図２】
2008259958.tif 000004
【図３】
2008259958.tif 000005
【図４】
2008259958.tif 000006